(57)【要約】【課題】トイレ室内の高い位置に設けた棚などに収納した小物を出し入れするための踏み台としても、幼児から大人まで異なる身長に応じて適切な便座高さになるような踏み台としても有用に利用できるとともに、収納品の出し入れが簡単なトイレ用床下収納装置を提供すること。【解決手段】トイレ室１内の便器２前方の床面３に設けた床開口部４より突出自在に床面３下方に収納庫５を設け、この収納庫５上部を覆う天板状の踏板６を形成し、この踏板６上に人を乗せた状態で任意の高さに保持可能に収納庫５を昇降させる昇降装置７を設ける。【選択図】  図１
2004353211.tif 000002
【特許請求の範囲】
【請求項１】
トイレ室内の便器前方の床面に設けた床開口部より突出自在に床面下方に収納庫を設け、この収納庫上部を覆う天板状の踏板を形成し、この踏板上に人を乗せた状態で任意の高さに保持可能に収納庫を昇降させる昇降装置を設けてなることを特徴とするトイレ用床下収納装置。
【請求項２】
踏板を着脱自在に形成してなることを特徴とする請求項１記載のトイレ用床下収納装置。
【請求項３】
床開口部よりも踏板外形を大きく形成して、収納庫を床下に収納したときにこの床開口部周縁上に踏板外周縁が支持されるように形成してなることを特徴とする請求項１乃至２記載のトイレ用床下収納装置。
【請求項４】
踏板上面に電源供給により発熱又は発光する電気素子を設けてなることを特徴とする請求項１乃至３記載のトイレ用床下収納装置。
【発明の詳細な説明】
【０００１】
【発明の属する技術分野】
本発明は、トイレ用床下収納装置に関する。
【０００２】
【従来の技術】
従来、例えばキッチンなどの小物が多くてスペースが狭い場所では、小物を効率的に収納するために床下収納装置が多用されている。この床下収納装置には、床下に昇降装置を設けて収納庫を昇降自在に支持したものがあり、使用者が屈み込むような低い姿勢で床下に配置した収納庫内の物品の出し入れを行うという高齢者にとって苦痛となる作業の必要がないようにしている。このような床下収納装置では、通常は収納庫が床下に配置され収納庫の踏板が他の床面と略面一に形成されているので、収納庫がキッチンでの調理作業の邪魔になることがなく、収納庫に物品を出し入れするときに、昇降装置を駆動させて収納庫を床面上に突出させて位置保持させるようにしておき、使用者が屈み込むような低い姿勢で行うことなく楽な姿勢で行うことができる。（実開平３−３３１３９号公報参照）
【０００３】
一方、トイレもキッチン同様に狭いスペースを有する場所であり、トイレの清掃用品などの小物は狭いトイレ室内の床面の端部などにそのまま置かれていることが多いものであるが、昇降装置を有する床下収納装置を設けておくと、収納庫内部にトイレの清掃用品やトイレットペーパーなどの小物を収時々必要となるものを収納しておき、必要なときに収納庫を昇降させて収納庫内部の小物を簡単に出し入れできる。またトイレ室の床面上に小物が散乱することなく外観も向上し、狭いトイレ室には床下収納装置は非常に有効である。
【０００４】
【特許文献１】
実開平３−３３１３９号公報
【０００５】
【発明が解決しようとする課題】
しかしながら上記従来のトイレ用床下収納装置では、通常、収納庫内に収納した物品の出し入れのために用いられるものであるから、収納庫は完全に床下に収納されるか、最高位置で位置保持されるかのどちらかであり、トイレ室内の高い位置に設けた棚などに収納した小物を出し入れするための踏み台として使用したり、収納庫を便器の前方に設けて幼児の用便時の補助足場として使用したりという収納庫を踏み台として使用する場合、それぞれ踏み台の適切な高さが異なるため、踏み台としては十分に対応できていないという問題がある。
【０００６】
例えば、トイレ室内の高い位置に設けた棚などに収納した小物を出し入れするための踏み台としては、棚に手が楽に届くような比較的高い高さを有するものが望ましく、幼児の用便時の踏み台としては乗りやすく、便座に腰掛けたときにちょうど足の位置にあるような比較的低い高さを有するものが望ましい。幼児のみならず、お年寄りから大人まで身長の異なる家族で共同使用することが多いため、身長が異なる複数の人が共同で使用する際の用便時の足場補助として有用な踏み台が望まれる。
【０００７】
本発明は、上記事由に鑑みてなされたものであり、その目的は、使い方に合わせて適切な高さの踏み台として使用できるとともに、収納品の出し入れが簡単なトイレ用床下収納装置を提供することにある。
【０００８】
【課題を解決するための手段】
請求項１記載の発明は、トイレ室内の便器前方の床面に設けた床開口部より突出自在に床面下方に収納庫を設け、この収納庫上部を覆う天板状の踏板を形成し、この踏板上に人を乗せた状態で任意の高さに保持可能に収納庫を昇降させる昇降装置を設けてなることを特徴として構成している。
【０００９】
このようなトイレ用床下収納装置では、昇降装置によりトイレ室内の床面の床開口部より収納庫を床面上方に突出させ、任意の高さに保持させた状態で、収納庫の踏板を踏板としてその上に人が乗って使用する。踏板の高さを自在に好みの位置に調整できるので、収納庫を単なる収納庫としての役目以外に、トイレ室内の高い位置に設けた棚などに収納した小物を出し入れするための踏み台としても、幼児から大人まで異なる身長に応じて適切な便座高さになるような踏み台としても有用に利用できる。
【００１０】
また請求項２記載の発明は、請求項１記載の発明において、踏板を着脱自在に形成してなることを特徴として構成している。
【００１１】
このようなトイレ用床下収納装置では、踏板をデザインや機能に応じた複数のものを用意しておけば、好みのものに簡単に取り替えて使用することができる。
【００１２】
また請求項３記載の発明は、請求項１乃至２記載の発明において、床開口部よりも踏板外形を大きく形成して、収納庫を床下に収納したときにこの床開口部周縁上に踏板外周縁が支持されるように形成してなることを特徴として構成している。
【００１３】
このようなトイレ用床下収納装置では、床開口部よりも踏板外形を大きく形成して、収納庫を床下に収納したときにこの床開口部周縁上に踏板外周縁が支持されるようにしているので、この収納状態のときに床開口部周縁と収納庫側面との上方開口した隙間を踏板外周縁が覆い、この隙間からトイレ室内のごみなどの異物が侵入することを防止している。
【００１４】
また請求項４記載の発明は、請求項１乃至３記載の発明において、踏板上面に電源供給により発熱又は発光する光熱発生装置を設けてなることを特徴として構成している。
【００１５】
このようなトイレ用床下収納装置では、踏板上面に電源供給により発熱又は発光する発光素子や熱電素子などの電気反応装置を設けているので、トイレ室内の床面照明や床暖房装置としても使用することができる。
【００１６】
【発明の実施の形態】
以下、本発明の実施形態のトイレ用床下収納装置を図１乃至図６に基づいて説明する。
【００１７】
図１は、本発明の実施形態のトイレ用床下収納装置を示す要部の縦断面図である。また図２は、同上のトイレ用床下収納装置の動作状態を示す要部の縦断面図であり、（ａ）は収納庫５を床下へ収納した状態であり、（ｂ）は収納庫５を最上位位置に保持させた状態である。また図３は、同上のトイレ用床下収納装置を示す要部の拡大縦断面図である。また図４は、同上のトイレ用床下収納装置に用いる踏板６を示す平面図であり、（ａ）〜（ｄ）に各種を示す。また図５は、同上のトイレ用床下収納装置に用いる操作パネル１８を示す平面図である。また図６は、同上と異なるトイレ用床下収納装置を示す要部の斜視図である。
【００１８】
図１乃至図５に示すように、このトイレ用床下収納装置は、トイレ室１内の便器２前方の床面３に設けた床開口部４より突出自在に床面３下方に収納庫５を設け、この収納庫５上部を覆う天板状の踏板６を形成し、この踏板６上に人を乗せた状態で任意の高さに保持可能に収納庫５を昇降させる昇降装置７を設けているものである。また、踏板６を着脱自在に形成している。また、床開口部４よりも踏板６外形を大きく形成して、収納庫５を床下に収納したときにこの床開口部４周縁上に踏板６外周縁が支持されるように形成しているものである。
【００１９】
床開口部４は、トイレ室１内の床板８を開口して形成され、便器２前方の人が便座に腰掛けたときに両足を置けるちょうどいい場所と大きさの例えば略角孔状に設けられている。この床開口部４下方の床下スラブ９上に昇降装置７が据え付けられ、この昇降装置７上に収納庫５が支持されている。
【００２０】
収納庫５は、外形が床開口部４と略同形状の箱状に形成された収納庫本体１０と、この収納庫本体１０の上端開口部を覆って取着される踏板６とから形成されている。収納庫５の上端開口縁には縦断面視略Ｌ字型の枠材１６が嵌めこまれ、この枠材１６上に踏板６が支持されている。
【００２１】
踏板６は、外形は床開口部４よりも一回り大きく形成されており、下面の外周縁全周に亘って垂下片を有しており、踏板６の垂下片内側に沿ってリング状のゴムパッキンなどのシール材１７が設けてある。収納庫５を床下に収納した状態では、垂下片下端が床開口部４周縁に当接するとともに、シール材１７が踏板６と床面３間で挟まれこの隙間を閉塞している。踏板６は、例えばフックなどの着脱簡便な固定手段により収納庫本体１０の開口部に取り付けられており、手で踏板６を引き上げたり押しこんだりすることにより、容易に着脱可能としている。また踏板６が着脱自在に形成してあるので、さまざまな機能を有する踏板６を複数種類用意しておき、取り替えて使用することにより、その踏板６固有の機能に応じた使い方ができる。その機能を図４（ａ）〜（ｄ）に例示する。（ａ）は、踏板６上面の凹凸が少なく抗菌性を有するように形成されたものであり、踏板６上面に直接足を載せても衛生的なものとしている。また（ｂ）は、踏板６を薄型の体重計又は体脂肪計などで形成したものであり、踏板６上に乗ることによって体重や体脂肪などを簡便に測定でき、日頃の健康管理にも利用できる。また（ｃ）は、踏板６上面部を大理石や金属材料等の熱伝導性の優れた材料で形成してあり、暑い時期などに踏板６上面に乗ることによって涼感を得られるようにしている。また（ｄ）は、踏板６上面に各種のデザインが施されたものであり、使用者の好みに応じて自由に選択して用いることができる。
【００２２】
昇降装置７としては、例えばリンク式のものが好適に用いられ、複数の支持棒材１１ａをパンタグラフ状に連結して上下方向に伸縮可能としたリンク部材１１と、床下スラブ９上に固定されリンク部材１１の下端部が取り付けられる取付台１２と、収納庫５の底板が固定されリンク部材１１の上端部が取り付けられる支持台１３と、リンク部材１１の下端部に連結されているネジ付棒１４と、このネジ付棒１４を回転駆動するモータ１５と、で構成されており、モータ１５によってネジ付棒１４を回転駆動させると、リンク部材１１が上下方向に伸縮して収納庫５が昇降するようなものとなっている。
【００２３】
この昇降装置７のモータ１５の駆動スイッチは、例えばトイレ室１の入口付近の壁面の幼児にでも手が届くような高さ位置に設けた操作パネル１８に連結され、人がトイレに入ったときにこの操作パネル１８の駆動スイッチを操作することによりモータ１５が駆動するようにすると良い。この操作パネル１８上の駆動スイッチとして例えば、「上昇」、「下降」、「設定位置Ａ」、「設定位置Ｂ」の表示と一対に複数のものを用意しておき、各駆動スイッチを押圧操作することにより対応する表示の動作を行うようモータ１５制御装置を設けておく。スイッチ操作として、例えば「上昇」又は「下降」スイッチを押し続けたときに所定の一定スピードで収納庫５が上昇又は下降するようにし、スイッチから手を離したときにその場で位置保持されるようにしておく。そしてこの状態で「設定スイッチ」を押すと、その高さ位置がモータ１５制御装置に設けたメモリに記憶されるようにしておけば、再度その「設定スイッチ」を押すとメモリに記憶された高さになるよう自動的にモータ１５制御するようにできる。収納庫５の高さ検知手段としては、例えば収納庫５に設けた位置検出センサーや収納庫５上下端位置から所定高さ位置までの移動動作時間から算出して求めるものが考えられる。このような「設定スイッチ」は複数設けそれぞれ複数の使用者と対応付けておけば、踏板６を用便時の足場として使用するときなど使用者固有の「設定スイッチ」を選択して押圧することにより、使用者に適切な高さに自動的に設定することができる。昇降時の安全性を考慮して昇降作動中にはブザーが鳴るようにしてもよい。なお、スイッチの長押、２回押、複数押などのスイッチ押圧動作により少ないスイッチを有効活用してスイッチ数の少ない使いやすい操作パネル１８とすることもできる。
【００２４】
このようなトイレ用床下収納装置では、昇降装置７によりトイレ室１内の床開口部４より収納庫５を床面３上方に突出させ、任意の高さに保持させた状態で、収納庫５の踏板６を踏板６としてその上に人が乗って使用する。踏板６の高さを自在に好みの位置に調整できるので、収納庫５を単なる収納庫５としての役目以外に、トイレ室１内の高い位置に設けた棚などに収納した小物を出し入れするための踏み台としても、幼児から大人まで異なる身長に応じて適切な便座高さになるような踏み台としても有用に利用できる。
【００２５】
また、踏板６をデザインや機能に応じた複数のものを用意しておけば、好みのものに簡単に取り替えて使用することができる。また、床開口部４よりも踏板６外形を大きく形成して、収納庫５を床下に収納したときにこの床開口部４周縁上に踏板６外周縁が支持されるようにしているので、この収納状態のときに床開口部４周縁と収納庫５側面との上方開口した隙間を踏板６外周縁が覆い、この隙間からトイレ室１内のごみなどの異物が侵入することを防止している。また、収納庫５の昇降作動中は連動してブザー音を鳴らすようにしておくと、ブザー音によって収納庫５の昇降作動中であること認識でき安全性を向上させることもできる。また、人の身長を測定できる人体検知手段をトイレ室１内に設け、この人体検知手段で検知された使用者の身長に応じて適切な収納庫５高さとなるように昇降装置７を制御するようにしておけば、昇降装置７を操作することなく収納庫５高さを適切に調節できる。
【００２６】
図６は、本発明の実施形態の同上と異なるトイレ用床下収納装置を示す要部の斜視図である。
【００２７】
このトイレ用床下収納装置は、同上のトイレ用床下収納装置と略同様の構成を有しており、トイレ室１内の便器２前方の床面３に設けた床開口部４より突出自在に床面３下方に収納庫５を設け、この収納庫５上部を覆う天板状の踏板６を形成し、この踏板６上に人を乗せた状態で任意の高さに保持可能に収納庫５を昇降させる昇降装置７を設けており、踏板６を着脱自在に形成しているものである。異なる点は、踏板６上面に電源供給により発熱又は発光する電気素子を設けていることである。電気素子としてにヒーターなどの発熱素子やＬＥＤや蛍光灯などが挙げられ、踏板６下面にこれらの電気素子に電源供給するための端子を露出形成してある。また収納庫本体１０内壁に踏板６を取りつけた状態で踏板６の端子に接続される電源側端子２２と、商用電源などに接続された電気接続線２３とを有する接続ユニット２０を取り付けてある。電源側端子２２として例えばマグネット電極が好適に用いられ、踏板６の収納庫本体１０への着脱や端子の電源側端子２２への接続も容易にすることができる。また接続ユニット２０には踏板６の収納庫本体１０への着脱を検出するリミットスイッチ２１が設けてあり、このリミットスイッチ２１によって収納庫本体１０から踏板６が外されたときに電源側端子への給電を停止するようにしておけば、電源側端子２２が露出した場合でも安全性が向上している。
【００２８】
なお、踏板が着脱式ではなく蝶番により開閉自在に取り付けられている場合には、電気接続線を踏板に内蔵した電気素子に接続固定しておいてもよい。この場合は、踏板の開閉動作の妨げにならないよう、電気接続線の長さに余裕を持たせておくことや、電気接続線の踏板への接続位置を踏板の支点側端部に設けておくことが望ましい。またトイレ室内に人体検知装置を設け、この人体検知装置の検知により電気素子に電源供給するよう制御すれば、人がトイレ室に居るときだけ床暖房や床照明を行え省電力化が図れる。
【００２９】
【発明の効果】
請求項１記載の発明では、踏板の高さを自在に好みの位置に調整できるので、収納庫を単なる収納庫としての役目以外に、トイレ室内の高い位置に設けた棚などに収納した小物を出し入れするための踏み台としても、幼児から大人まで異なる身長に応じて適切な便座高さになるような踏み台としても有用に利用できる。また請求項２記載の発明では、踏板をデザインや機能に応じた複数のものを用意しておけば、好みのものに簡単に取り替えて使用することができる。
【００３０】
また請求項３記載の発明では、床開口部よりも踏板外形を大きく形成して、収納庫を床下に収納したときにこの床開口部周縁上に踏板外周縁が支持されるようにしているので、この収納状態のときに床開口部周縁と収納庫側面との上方開口した隙間を踏板外周縁が覆い、この隙間からトイレ室内のごみなどの異物が侵入することを防止している。
【００３１】
また請求項４記載の発明では、踏板上面に電源供給により発熱又は発光する発光素子や熱電素子などの電気反応装置を設けているので、トイレ室内の床面照明や床暖房装置としても使用することができる。
【図面の簡単な説明】
【図１】本発明の実施形態のトイレ用床下収納装置を示す要部の縦断面図である。
【図２】同上のトイレ用床下収納装置の動作状態を示す要部の縦断面図であり、（ａ）は収納庫を床下へ収納した状態であり、（ｂ）は収納庫を最上位位置に保持させた状態である。
【図３】同上のトイレ用床下収納装置を示す要部の拡大縦断面図である。
【図４】同上のトイレ用床下収納装置に用いる踏板を示す平面図であり、（ａ）〜（ｄ）に各種を示す。
【図５】同上のトイレ用床下収納装置に用いる操作パネルを示す平面図である。
【図６】同上と異なるトイレ用床下収納装置を示す要部の斜視図である。
【符号の説明】
１    トイレ室
２    便器
３    床面
４    床開口部
５    収納庫
６    踏板
７    昇降装置
８    床板
９    床下スラブ
１０    収納庫本体
１１    リンク部材
１１ａ    支持棒材
１２    取付台
１３    支持台
１４    ネジ付棒
１５    モータ
１６    枠材
１７    シール材
１８    操作パネル
【図１】
2004353211.tif 000003
【図２】
2004353211.tif 000004
【図３】
2004353211.tif 000005
【図４】
2004353211.tif 000006
【図５】
2004353211.tif 000007
【図６】
2004353211.tif 000008